(57)【要約】【課題】ユーザ毎に、行うことができる操作をより確実に制限する。【解決手段】操作ユーザ特定部１４２は、ユーザを特定するユーザ特定情報に基づいて、ユーザによるパスワードの入力なしで、ユーザにより操作される操作手段を操作する操作ユーザを特定し、制限制御部１４５は、操作ユーザを特定するユーザ特定情報に対応付けられている、操作ユーザが行うことを制限又は許可する制限/許可操作を表す可否操作情報に基づいて、操作ユーザによる操作手段の操作が制限/許可操作であるか否かを判定する。さらに、制限制御部１４５は、操作ユーザによる操作手段の操作が制限/許可操作であると判定された場合に、操作ユーザによる操作手段の操作に応じて行われる処理を制限又は許可する。本発明は、例えば、テレビジョン受像機に適用することができる。【選択図】図４
2008042409.tif 000002
【特許請求の範囲】
【請求項１】
テレビジョン放送を受信する受信装置において、
ユーザを特定するユーザ特定情報と、そのユーザ特定情報によって特定されるユーザが行うことを制限又は許可する制限/許可操作を表す可否操作情報とを対応付けて記憶する記憶手段と、
前記ユーザ特定情報に基づいて、ユーザによるパスワードの入力なしで、ユーザにより操作される操作手段を操作する操作ユーザを特定する特定手段と、
前記操作ユーザを特定する前記ユーザ特定情報に対応付けられている前記可否操作情報に基づいて、前記操作ユーザによる前記操作手段の操作が制限/許可操作であるか否かを判定する判定手段と、
前記判定手段により、前記操作ユーザによる前記操作手段の操作が制限/許可操作であると判定された場合に、前記操作ユーザによる前記操作手段の操作に応じて行われる処理を制限又は許可する処理制御手段と
を備え、
前記制限/許可操作は、前記可否操作情報を、前記操作手段の操作のすべてを制限しないことを表す初期状態、又は前記操作手段の操作のすべてを許可することを表す初期状態に初期化する初期化操作を含む
受信装置。
【請求項２】
前記記憶手段は、前記操作手段の操作に応じて、前記ユーザ特定情報と前記可否操作情報とを対応付けて記憶する
請求項１に記載の受信装置。
【請求項３】
テレビジョン受像機である
請求項１に記載の受信装置。
【請求項４】
前記記憶手段は、前記ユーザ特定情報と、そのユーザ特定情報によって特定されるユーザ用にカスタマイズされた前記受信装置の設定を表す設定情報とをさらに対応付けて記憶し、
前記操作ユーザを特定する前記ユーザ特定情報に対応付けられている前記設定情報に基づいて、前記受信装置の設定を前記操作ユーザ用にカスタマイズされた設定にする設定制御手段をさらに備える
請求項１に記載の受信装置。
【請求項５】
テレビジョン放送を受信する受信装置を制御する制御方法において、
ユーザを特定するユーザ特定情報と、そのユーザ特定情報によって特定されるユーザが行うことを制限又は許可する制限/許可操作を表す可否操作情報とを対応付けて記憶する記憶手段に記憶された前記ユーザ特定情報に基づいて、ユーザによるパスワードの入力なしで、ユーザにより操作される操作手段を操作する操作ユーザを特定し、
前記操作ユーザを特定する前記ユーザ特定情報に対応付けられている前記可否操作情報に基づいて、前記操作ユーザによる前記操作手段の操作が制限/許可操作であるか否かを判定し、
前記操作ユーザによる前記操作手段の操作が制限/許可操作であると判定された場合に、前記操作ユーザによる前記操作手段の操作に応じて行われる処理を制限又は許可する
ステップを含み、
前記制限/許可操作は、前記可否操作情報を、前記操作手段の操作のすべてを制限しないことを表す初期状態、又は前記操作手段の操作のすべてを許可することを表す初期状態に初期化する初期化操作を含む
制御方法。
【請求項６】
テレビジョン放送を受信する受信装置を制御する制御処理をコンピュータに実行させるプログラムにおいて、
ユーザを特定するユーザ特定情報と、そのユーザ特定情報によって特定されるユーザが行うことを制限又は許可する制限/許可操作を表す可否操作情報とを対応付けて記憶する記憶手段に記憶された前記ユーザ特定情報に基づいて、ユーザによるパスワードの入力なしで、ユーザにより操作される操作手段を操作する操作ユーザを特定し、
前記操作ユーザを特定する前記ユーザ特定情報に対応付けられている前記可否操作情報に基づいて、前記操作ユーザによる前記操作手段の操作が制限/許可操作であるか否かを判定し、
前記操作ユーザによる前記操作手段の操作が制限/許可操作であると判定された場合に、前記操作ユーザによる前記操作手段の操作に応じて行われる処理を制限又は許可する
ステップを含み、
前記制限/許可操作は、前記可否操作情報を、前記操作手段の操作のすべてを制限しないことを表す初期状態、又は前記操作手段の操作のすべてを許可することを表す初期状態に初期化する初期化操作を含む
制御処理をコンピュータに実行させるプログラム。
【発明の詳細な説明】
【技術分野】
【０００１】
本発明は、受信装置、制御方法、およびプログラムに関し、特に、例えば、ユーザ毎に、行うことができる操作をより確実に制限することができるようにした受信装置、制御方法、およびプログラムに関する。
【背景技術】
【０００２】
例えば、テレビジョン受像機に対する操作には、チャンネルの切替や、画質、音質の設定などの、特定のユーザが行うことを制限しなくても問題とならない操作の他、ユーザの年齢に応じて所定の番組の視聴を制限する視聴制限を設定又は解除する操作などの、特定のユーザが行うことを制限すべき操作がある。
【０００３】
このため、テレビジョン受像機では、特定のユーザが行うことを制限すべき操作が行われた場合には、その操作を行ったユーザ（操作ユーザ）にパスワードの入力が求められる。さらに、テレビジョン受像機では、操作ユーザにより入力されたパスワードにより、特定のユーザが行うことを制限すべき操作を行うことができるユーザであるとの認証が成功しなかった場合には、操作ユーザによる操作は制限される。
【０００４】
一方、認証が成功した場合、テレビジョン受像機では、操作ユーザによる操作は制限されず、その操作に対応する処理が実行される。
【０００５】
このような特定のユーザが行うことを制限すべき操作を制限する技術としては、例えば、指紋の情報をテレビジョン受像機に入力することができる指紋入力装置を用いて、ユーザが自己の指紋の情報を入力し、視聴制限を設定する設定者であると認証された場合に、他のユーザの視聴の制限を設定することができる技術が、特許文献１に開示されている（特に、特許文献１の[００２１]段落および[００２２]段落を参照）。
【０００６】
なお、ユーザ毎に、ユーザ専用のリモートコマンダを用意しておき、ユーザが操作するリモートコマンダから送信される、ユーザを識別する識別情報に対応付けられた画像データのみにアクセスを制限する技術が特許文献２に開示されている（特に、特許文献２の[００４７]段落乃至[００５２]段落および図１５を参照）。
【０００７】
また、テレビジョン受像機を視聴しているユーザが、ユーザに関するユーザ情報にアクセスするための条件であるユーザ条件を満たす場合に、ユーザ情報にアクセスすることができる技術が特許文献３に開示されている（特に、特許文献３の[００２０]段落を参照）。
【特許文献１】特開２００１−８６４７９号公報
【特許文献２】特開２００５−６４７５７号公報
【特許文献３】特開２００２−２８８１３５号公報
【発明の開示】
【発明が解決しようとする課題】
【０００８】
ところで、上述したように、パスワードによる認証を行って、ユーザの操作を制限するテレビジョン受像機では、ユーザがパスワードを失念した場合に、パスワードにより制限された操作を一切行うことができなくなることを考慮し、テレビジョン受像機の状態（設定）を、パスワードによる操作の制限がない初期状態にする初期化を行う初期化操作は、パスワードによる制限が行われないようになっている。
【０００９】
従って、ユーザは、パスワードを失念した場合でも、パスワードにより制限されない初期化操作を行うことで、すべての操作を行うことが可能となる。
【００１０】
しかしながら、パスワードにより制限されない初期化操作は、どのユーザも行うことができるため、どのユーザも、初期化操作を行うことで、その後に、すべての操作を行うことができてしまうことになる。
【００１１】
なお、特許文献１には、他のユーザの視聴の制限を設定する操作を制限する技術が開示されている。また、特許文献２や３には、画像データやユーザ情報へのアクセスを制限する技術が開示されている。しかしながら、特許文献１乃至３のいずれにも、初期化操作については開示されていない。
【００１２】
本発明は、このような状況に鑑みてなされたものであり、ユーザ毎に、行うことができる操作をより確実に制限することができるようにするものである。
【課題を解決するための手段】
【００１３】
本発明の一側面の受信装置は、テレビジョン放送を受信する受信装置であり、ユーザを特定するユーザ特定情報と、そのユーザ特定情報によって特定されるユーザが行うことを制限又は許可する制限/許可操作を表す可否操作情報とを対応付けて記憶する記憶手段と、前記ユーザ特定情報に基づいて、ユーザによるパスワードの入力なしで、ユーザにより操作される操作手段を操作する操作ユーザを特定する特定手段と、前記操作ユーザを特定する前記ユーザ特定情報に対応付けられている前記可否操作情報に基づいて、前記操作ユーザによる前記操作手段の操作が制限/許可操作であるか否かを判定する判定手段と、前記判定手段により、前記操作ユーザによる前記操作手段の操作が制限/許可操作であると判定された場合に、前記操作ユーザによる前記操作手段の操作に応じて行われる処理を制限又は許可する処理制御手段とを備え、前記制限/許可操作は、前記可否操作情報を、前記操作手段の操作のすべてを制限しないことを表す初期状態、又は前記操作手段の操作のすべてを許可することを表す初期状態に初期化する初期化操作を含む。
【００１４】
前記記憶手段には、前記操作手段の操作に応じて、前記ユーザ特定情報と前記可否操作情報とを対応付けて記憶させることができる。
【００１５】
一側面の受信装置は、テレビジョン受像機とすることができる。
【００１６】
前記記憶手段には、前記ユーザ特定情報と、そのユーザ特定情報によって特定されるユーザ用にカスタマイズされた前記受信装置の設定を表す設定情報とをさらに対応付けて記憶させることができ、前記操作ユーザを特定する前記ユーザ特定情報に対応付けられている前記設定情報に基づいて、前記受信装置の設定を前記操作ユーザ用にカスタマイズされた設定にする設定制御手段をさらに設けることができる。
【００１７】
本発明の一側面の制御方法、またはプログラムは、テレビジョン放送を受信する受信装置を制御する制御方法、またはテレビジョン放送を受信する受信装置を制御する制御処理をコンピュータに実行させるプログラムであり、ユーザを特定するユーザ特定情報と、そのユーザ特定情報によって特定されるユーザが行うことを制限又は許可する制限/許可操作を表す可否操作情報とを対応付けて記憶する記憶手段に記憶された前記ユーザ特定情報に基づいて、ユーザによるパスワードの入力なしで、ユーザにより操作される操作手段を操作する操作ユーザを特定し、前記操作ユーザを特定する前記ユーザ特定情報に対応付けられている前記可否操作情報に基づいて、前記操作ユーザによる前記操作手段の操作が制限/許可操作であるか否かを判定し、前記操作ユーザによる前記操作手段の操作が制限/許可操作であると判定された場合に、前記操作ユーザによる前記操作手段の操作に応じて行われる処理を制限又は許可するステップを含み、前記制限/許可操作は、前記可否操作情報を、前記操作手段の操作のすべてを制限しないことを表す初期状態、又は前記操作手段の操作のすべてを許可することを表す初期状態に初期化する初期化操作を含む。
【００１８】
本発明の一側面においては、ユーザを特定するユーザ特定情報に基づいて、ユーザによるパスワードの入力なしで、ユーザにより操作される操作手段を操作する操作ユーザが特定され、前記操作ユーザを特定する前記ユーザ特定情報に対応付けられている、前記操作ユーザが行うことを制限又は許可する制限/許可操作を表す可否操作情報に基づいて、前記操作ユーザによる前記操作手段の操作が制限/許可操作であるか否かが判定される。さらに、前記操作ユーザによる前記操作手段の操作が制限/許可操作であると判定された場合に、前記操作ユーザによる前記操作手段の操作に応じて行われる処理が制限又は許可される。
【発明の効果】
【００１９】
本発明によれば、ユーザ毎に、行うことができる操作をより確実に制限することができる。
【発明を実施するための最良の形態】
【００２０】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２１】
本発明の一側面の受信装置は、テレビジョン放送を受信する受信装置（例えば、図１のテレビジョン受像機１１）であり、ユーザを特定するユーザ特定情報と、そのユーザ特定情報によって特定されるユーザが行うことを制限又は許可する制限/許可操作を表す可否操作情報とを対応付けて記憶する記憶手段（例えば、図４のユーザ情報記憶部１００）と、前記ユーザ特定情報に基づいて、ユーザによるパスワードの入力なしで、ユーザにより操作される操作手段を操作する操作ユーザを特定する特定手段（例えば、図４の操作ユーザ特定部１４２）と、前記操作ユーザを特定する前記ユーザ特定情報に対応付けられている前記可否操作情報に基づいて、前記操作ユーザによる前記操作手段の操作が制限/許可操作であるか否かを判定する判定手段（例えば、図６のステップＳ６４の処理を実行する図４の制限制御部１４５）と、前記判定手段により、前記操作ユーザによる前記操作手段の操作が制限/許可操作であると判定された場合に、前記操作ユーザによる前記操作手段の操作に応じて行われる処理を制限又は許可する処理制御手段（例えば、図６のステップＳ６７の処理を実行する図４の制限制御部１４５）とを備え、前記制限/許可操作は、前記可否操作情報を、前記操作手段の操作のすべてを制限しないことを表す初期状態、又は前記操作手段の操作のすべてを許可することを表す初期状態に初期化する初期化操作を含む。
【００２２】
前記記憶手段は、前記ユーザ特定情報と、そのユーザ特定情報によって特定されるユーザ用にカスタマイズされた前記受信装置の設定を表す設定情報とをさらに対応付けて記憶し、前記操作ユーザを特定する前記ユーザ特定情報に対応付けられている前記設定情報に基づいて、前記受信装置の設定を前記操作ユーザ用にカスタマイズされた設定にする設定制御手段（例えば、図４の設定情報制御部１４８）をさらに備える。
【００２３】
本発明の一側面の制御方法、またはプログラムは、テレビジョン放送を受信する受信装置（例えば、図１のテレビジョン受像機１１）を制御する制御方法、またはテレビジョン放送を受信する受信装置を制御する制御処理をコンピュータに実行させるプログラムであり、ユーザを特定するユーザ特定情報と、そのユーザ特定情報によって特定されるユーザが行うことを制限又は許可する制限/許可操作を表す可否操作情報とを対応付けて記憶する記憶手段（例えば、図４ユーザ情報記憶部１００）に記憶された前記ユーザ特定情報に基づいて、ユーザによるパスワードの入力なしで、ユーザにより操作される操作手段を操作する操作ユーザを特定し（例えば、図５のステップＳ３２）、前記操作ユーザを特定する前記ユーザ特定情報に対応付けられている前記可否操作情報に基づいて、前記操作ユーザによる前記操作手段の操作が制限/許可操作であるか否かを判定し（例えば、図６のステップＳ６４）、前記操作ユーザによる前記操作手段の操作が制限/許可操作であると判定された場合に、前記操作ユーザによる前記操作手段の操作に応じて行われる処理を制限又は許可する（例えば、図６のステップＳ６７）ステップを含み、前記制限/許可操作は、前記可否操作情報を、前記操作手段の操作のすべてを制限しないことを表す初期状態、又は前記操作手段の操作のすべてを許可することを表す初期状態に初期化する初期化操作を含む。
【００２４】
以下、図を参照して、本発明の実施の形態について説明する。
【００２５】
図１は、本発明を適用したテレビジョン受像機システムの一実施の形態の構成例を示すブロック図である。
【００２６】
図１のテレビジョン受像機システムは、テレビジョン受像機１１、アンテナ１２、およびリモートコマンダ１３により構成される。
【００２７】
図１のテレビジョン受像機１１は、チューナ５２、ビデオ入力端子５３、AVスイッチ５４、画像信号処理部５５、OSD(On Screen Display)生成部５６、ビデオプロセッサ５７、ディスプレイ５８、オーディオプロセッサ５９、アンプリファイア６０、スピーカ６１、不揮発性メモリ６２、操作部６３、リモートコマンダ受信部６４、メインマイクロコンピュータ６５、およびIIC(Inter Integrated Circuit)バス６６により構成される。
【００２８】
チューナ５２は、アンテナ１２から供給される放送信号のうちの所定のチャンネルの放送信号を復調し、その結果得られるコンポジットビデオ信号およびオーディオ信号をAVスイッチ５４に供給する。
【００２９】
ビデオ入力端子５３は、図示せぬ再生装置などから供給されるコンポジットビデオ信号およびオーディオ信号が入力される端子であり、さらに入力されたコンポジットビデオ信号およびオーディオ信号は、AVスイッチ５４に供給される。
【００３０】
AVスイッチ５４は、チューナ５２から供給されるコンポジットビデオ信号およびオーディオ信号、またはビデオ入力端子５３から供給されるコンポジットビデオ信号およびオーディオ信号のうちの、いずれかのコンポジットビデオ信号およびオーディオ信号を選択する。
【００３１】
また、AVスイッチ５４は、選択したコンポジットビデオ信号を画像信号処理部５５に供給するとともに、同じく選択したオーディオ信号をオーディオプロセッサ５９に供給する。
【００３２】
画像信号処理部５５は、AVスイッチ５４から供給されるコンポジットビデオ信号を輝度信号と色差信号に変換し、ビデオプロセッサ５７に供給する。
【００３３】
OSD生成部５６は、例えば、メニュー画面などのGUI(Graphical User Interface)、その他、ディスプレイ５８にOSDで表示する画像であるOSD画像を生成し、ビデオプロセッサ５７に適宜供給する。
【００３４】
ビデオプロセッサ５７は、画像信号処理部５５から供給された輝度信号および色差信号を、RGB信号に変換し、そのRGB信号に対応するコンテンツ画像を、ディスプレイ５８に供給して表示させる。
【００３５】
また、ビデオプロセッサ５７は、OSD生成部５６からOSD画像が供給される場合、RGB信号に対応するコンテンツ画像に、OSD生成部５６から供給されるOSD画像を重畳（合成）し、その結果得られる合成画像をディスプレイ５８に供給して表示させる。
【００３６】
ディスプレイ５８は、例えば、CRT(Cathode Ray Tube)またはLCD(Liquid Crystal Display)などにより構成され、ビデオプロセッサ５７から供給される画像を表示する。
【００３７】
オーディオプロセッサ５９は、AVスイッチ５４から供給されるオーディオ信号の音質などを調整してアンプリファイア６０に供給する。
【００３８】
アンプリファイア６０は、オーディオプロセッサ５９から供給されたオーディオ信号を増幅し、スピーカ６１に供給する。
【００３９】
スピーカ６１は、アンプリファイア６０から供給されたオーディオ信号に対応する音声（音）を出力する。
【００４０】
不揮発性メモリ６２は、例えば、EEPROM(Electrically Erasable Programmable Read Only Memory)などにより構成され、メインマイクロコンピュータ６５が実行するプログラムや、メインマイクロコンピュータ６５の処理に用いられる各種のデータを記憶する。
【００４１】
ここで、各種のデータとしては、ユーザ情報がある。ユーザ情報とは、テレビジョン受像機１１を操作するユーザのユーザＩＤ(IDentification)や、そのユーザがテレビジョン受像機１１を操作中であるか否かを表す操作ユーザ情報、テレビジョン受像機１１を操作するユーザである操作ユーザを特定するユーザ特定情報、ユーザ特定情報によって特定されるユーザが行うことを制限又は許可する制限/許可操作を表す可否操作情報、ユーザ特定情報によって特定されるユーザ用にカスタマイズされたテレビジョン受像機１１の設定を表す設定情報などを対応付けた情報である。
【００４２】
操作部６３は、ユーザによって操作され、ユーザによる操作部６３の操作に対応した操作信号を、メインマイクロコンピュータ６５に供給する。
【００４３】
リモートコマンダ受信部６４は、リモートコマンダ１３から出射された無線の操作信号を受信し、メインマイクロコンピュータ６５に供給する。
【００４４】
メインマイクロコンピュータ６５は、汎用または専用の組み込み型マイクロコンピュータであり、IICバス６６を介して、AVスイッチ５４や、画像信号処理部５５、OSD生成部５６、ビデオプロセッサ５７、オーディオプロセッサ５９を制御する。
【００４５】
即ち、メインマイクロコンピュータ６５は、RAM(Random Access Memory)６７を内蔵し、そのRAM６７を作業用領域として使用しながら、不揮発性メモリ６２に記憶された所定のプログラムを実行することにより、テレビジョン受像機１１を構成する各ブロックを制御する。また、メインマイクロコンピュータ６５は、その他、例えば、操作部６３またはリモートコマンダ受信部６４から供給された操作信号に応じた各種の処理を行う。
【００４６】
なお、テレビジョン受像機１１には、図示せぬドライブを接続することができる。メインマイクロコンピュータ６５が実行するプログラムは、そのドライブに、磁気ディスク、光ディスク、光磁気ディスク、或いは半導体メモリなどのリムーバブルメディアを装着して、そのリムーバブルメディアから不揮発性メモリ６２にインストールすることができる。また、メインマイクロコンピュータ６５が実行するプログラムは、図示せぬ通信インタフェースを介して、インターネット上のサーバ等からダウンロードし、不揮発性メモリ６２にインストールすることができる。
【００４７】
アンテナ１２は、電波である放送波を受信し、その結果得られる電気信号である放送信号をチューナ５２に供給する。
【００４８】
リモートコマンダ１３は、ユーザにより操作される操作部２１を有し、例えば、ユーザが操作部２１を操作した場合に、ユーザによる操作部２１の操作に対応した操作信号などを、赤外線などの無線により、リモートコマンダ受信部６４に出射する。
【００４９】
リモートコマンダ１３の操作部２１は、例えば、メニューを表示させるメニュー表示ボタンや、音量を変更させる音量ボタンなどの操作キーを有する。さらに、操作部２１は、操作部２１を操作しているユーザを特定するユーザ特定情報を出力するユーザ特定情報出力部３１を有する。
【００５０】
図２は、不揮発性メモリ６２に記憶された、ユーザ情報のリストであるユーザ情報リストの例を示す図である。
【００５１】
図２のユーザ情報リストには、ユーザＩＤ、操作ユーザ情報、ユーザ特定情報、可否操作情報、および設定情報が対応付けられたユーザ情報が、１行に登録される。
【００５２】
即ち、ユーザ情報リストにおいて、左から１番目の欄（列）には、ユーザ情報のうちのユーザＩＤが登録される。ここで、ユーザＩＤは、ユーザ情報を、ユーザ情報リストに登録するときに、ユーザによるリモートコマンダ１３や操作部６３の操作に応じて、または、テレビジョン受像機１１によって決定される。
【００５３】
ユーザ情報リストの左から２番目の欄には、左から１番目の欄のユーザＩＤが表すユーザが、テレビジョン受像機１１を操作中であるか否かを表す操作ユーザ情報が登録される。
【００５４】
また、ユーザ情報リストの左から３番目の欄には、ユーザによるパスワードの入力なしで、ユーザＩＤが表すユーザを特定するユーザ特定情報が登録される。ここで、ユーザ特定情報としては、例えば、ユーザの親指や人差し指の指紋から得られる指紋情報や、ユーザの虹彩から得られる虹彩情報、ユーザの静脈の状態から得られる静脈情報などを採用することができる。
【００５５】
さらに、ユーザ情報リストの左から４番目の欄には、ユーザが行うことを制限する制限操作を表す可否操作情報が登録される。なお、可否操作情報については、後述する図３において詳細に説明する。
【００５６】
また、ユーザ情報リストの左から５番目の欄（右から１番目の欄）には、画質（明るさ等）や音量、画面モード（画像を４：３のアスペクト比で表示するノーマルモードや、画像を１６：９のアスペクト比で表示するワイドモード等）、メニュー画面に表示されるメニューの項目などの、テレビジョン受像機１１の設定を表す設定情報が登録される。
【００５７】
なお、図２において、ユーザ情報リストの１行目には、ユーザＩＤが“default”のユーザ（以下、適宜、デフォルトユーザという）のユーザ情報が登録されている。デフォルトユーザのユーザ情報のユーザ特定情報は登録されておらず、デフォルトユーザのユーザ情報以外のユーザ情報のユーザ特定情報によって特定することができないユーザは、デフォルトユーザとして扱われる。
【００５８】
また、ユーザ情報リストは、後述する初期状態においては、デフォルトユーザのユーザＩＤだけが登録された状態となる。テレビジョン受像機１１の購入直後においては、ユーザ情報リストは初期状態になっており、また、初期化操作が制限されていないユーザが、リモートコマンダ１３や操作部６３により初期化操作をした場合も、ユーザ情報リストは初期状態になる。
【００５９】
次に、図３を参照して、図２の可否操作情報の例を説明する。
【００６０】
図３の可否操作情報には、ユーザが行うことを制限する操作である制限操作の情報が登録される。
【００６１】
従って、図３の可否操作情報に対応付けられたユーザＩＤが表すユーザがテレビジョン受像機１１を操作する場合、図３において、可否操作情報の１行目に登録された画質の変更や、２行目に登録された音量の変更などの操作が制限され、図３の可否操作情報に登録された制限操作以外の操作だけを行うことができる。
【００６２】
ここで、制限操作には、可否操作情報を、操作のすべてを制限しないことを表す初期状態に初期化する初期化操作が含まれる。さらに、初期化操作を含む各種の操作を、制限操作として、可否操作情報に登録する操作（可否操作情報登録操作）や、初期化操作を含む各種の操作の、制限操作としての登録を解除する操作（可否操作情報解除操作）も、制限操作に含まれる。
【００６３】
初期化操作が制限操作として可否操作情報に登録されているユーザによる初期化操作は制限される。従って、初期化操作は、初期化操作が制限操作として可否操作情報に登録されていないユーザしか行うことができない。
【００６４】
同様に、可否操作情報登録操作が制限操作として可否操作情報に登録されているユーザによる可否操作情報登録操作も制限される。従って、可否操作情報登録操作も、可否操作情報登録操作が制限操作として可否操作情報に登録されていないユーザしか行うことができない。
【００６５】
また、可否操作情報解除操作が制限操作として可否操作情報に登録されているユーザによる可否操作情報解除操作も制限される。従って、可否操作情報解除操作も、可否操作情報解除操作が制限操作として可否操作情報に登録されていないユーザしか行うことができない。
【００６６】
図１のメインマイクロコンピュータ６５は、図２および図３で説明したユーザ情報リストを用いて、様々な処理を行う。
【００６７】
即ち、図４は、メインマイクロコンピュータ６５が所定のプログラムを実行することにより実現されるメインマイクロコンピュータ６５の機能的な構成例を示すブロック図である。
【００６８】
メインマイクロコンピュータ６５は、ユーザ特定情報受信部１４１、操作ユーザ特定部１４２、キー受信部１４３、キー判定部１４４、制限制御部１４５、キーイベント発生部１４６、キーイベント処理部１４７、および設定情報制御部１４８により構成される。
【００６９】
なお、図４において、ユーザ情報記憶部１００は、図１の不揮発性メモリ６２の一部の記憶領域であり、上述した図２および図３で説明したユーザ情報リストを記憶する。
【００７０】
ユーザ特定情報受信部１４１は、図１の操作部６３やリモートコマンダ受信部６４から供給されるユーザ特定情報を受信し、操作ユーザ特定部１４２またはキーイベント処理部１４７に供給する。
【００７１】
操作ユーザ特定部１４２は、ユーザ特定情報受信部１４１から供給されるユーザ特定情報に基づいて、リモートコマンダ１３または操作部６３を操作している操作ユーザを特定し、その操作ユーザに基づいて、ユーザ情報記憶部１００に記憶されているユーザ情報リストの操作ユーザ情報を更新する。
【００７２】
キー受信部１４３は、図１の操作部６３やリモートコマンダ受信部６４から供給された操作信号を受信し、キー判定部１４４に供給する。
【００７３】
キー判定部１４４は、キー受信部１４３から供給された操作信号に基づいて、操作ユーザが操作した図１のリモートコマンダ１３や操作部６３の操作キーを判定し、その判定結果である操作キー情報を制限制御部１４５に供給する。
【００７４】
制限制御部１４５は、ユーザ情報記憶部１００に記憶されているユーザ情報リストから、テレビジョン受像機１１を操作中であることを表す操作ユーザ情報に対応付けられた可否操作情報を読み出し、その可否操作情報と、キー判定部１４４から供給された操作キー情報とに基づいて、操作ユーザによる操作キーの操作が制限操作であるか否かを判定する。
【００７５】
制限制御部１４５は、操作ユーザによる操作キーの操作が制限操作でないと判定した場合、キー判定部１４４から供給された操作キー情報を、キーイベント発生部１４６に供給する。
【００７６】
一方、制限制御部１４５は、操作ユーザによる操作キーの操作が制限操作であると判定した場合、その操作キーに応じて行われる処理を制限する制限処理を行い、さらに、必要に応じて、操作ユーザによる操作キーの操作が制限されている旨を、例えば、図１のディスプレイ５８にOSDで表示するように、キーイベント処理部１４７に指示する。
【００７７】
キーイベント発生部１４６は、制限制御部１４５から供給される操作キー情報に応じたキーイベントを発生させ、キーイベント処理部１４７に供給する。
【００７８】
キーイベント処理部１４７は、キーイベント発生部１４６から供給されたキーイベントや、制限制御部１４５からの指示に基づいて、各種の処理を行う。即ち、キーイベント処理部１４７は、表示制御部１４７ａ、音声制御部１４７ｂ、ユーザ情報登録部１４７ｃ、およびユーザ情報初期化部１４７ｄにより構成され、各種の処理を行う。
【００７９】
表示制御部１４７ａは、OSD画像をディスプレイ５８に表示させることを制御する。即ち、表示制御部１４７ａは、図１のOSD生成部５６を制御することにより、OSD画像を生成させ、さらに、そのOSD画像をディスプレイ５８に表示させるように、ビデオプロセッサ５７を制御する。
【００８０】
ここで、OSD画像としては、例えば、メニュー画面のOSD画像や、操作が制限されている旨のメッセージのOSD画像などがある。
【００８１】
音声制御部１４７ｂは、例えば、音量や音質を変更する操作に対応するキーイベントなどに従い、オーディオプロセッサ５９（図１）を制御する。
【００８２】
ユーザ情報登録部１４７ｃは、ユーザ情報の追加、削除、変更をする操作に対応するキーイベントなどに従い、ユーザ情報記憶部１００に記憶されたユーザ情報リストに対するユーザ情報の追加、削除、変更を行う。
【００８３】
ユーザ情報初期化部１４７ｄは、初期化操作に対応するキーイベントに従い、ユーザ情報記憶部１００に記憶されたユーザ情報リストを、初期状態とする。
【００８４】
ここで、初期状態のユーザ情報リストとは、上述したように、デフォルトユーザのユーザ情報のみが登録されたユーザ情報リストであり、このときのデフォルトユーザの可否操作情報は、どの操作も制限操作ではないことを表す可否操作情報、つまり、デフォルトユーザはすべての操作を行うことができることを表す可否操作情報になっている。
【００８５】
設定情報制御部１４８は、ユーザ情報記憶部１００に記憶されているユーザ情報リスト（図２）から、テレビジョン受像機１１を操作中であることを表す操作ユーザ情報に対応付けられた設定情報を読み出し、その設定情報に基づいて、図１のAVスイッチ５４や、画像信号処理部５５、OSD生成部５６、ビデオプロセッサ５７、オーディオプロセッサ５９を制御する。これにより、ユーザ毎に、テレビジョン受像機１１により受信されるチャンネルとそのチャンネルにおいて表示されるチャンネルの番号との組み合わせを設定するチャンネルの設定や、画質、音量の設定、メニュー画面に表示されるメニューの項目などの設定が異なる、ユーザ用にカスタマイズされたテレビジョン受像機１１を利用することができる。
【００８６】
以上のように構成される図４のメインマイクロコンピュータ６５では、リモートコマンダ１３や操作部６３を操作している操作ユーザを特定する操作ユーザ特定処理が行われる。
【００８７】
即ち、図５は、テレビジョン受像機１１が操作ユーザを特定する操作ユーザ特定処理を説明するフローチャートである。
【００８８】
操作ユーザ特定処理は、例えば、ユーザが、操作ユーザ特定処理を行うように、図１のリモートコマンダ１３や操作部６３を操作したときに開始される。
【００８９】
ここで、以下では、説明を簡単にするため、ユーザが、リモートコマンダ１３と操作部６３のうちの、例えば、リモートコマンダ１３を操作する場合に注目して説明を行う。
【００９０】
ユーザが、リモートコマンダ１３を手で持ち、操作ユーザ特定処理を行うように、リモートコマンダ１３を操作すると、リモートコマンダ１３のユーザ特定情報出力部３１（図１）は、例えば、ユーザの指紋情報を検出して出力する。
【００９１】
即ち、リモートコマンダ１３の筐体の所定の位置には、ユーザの指紋情報を検出するセンサ部（図示せず）が設けられており、ユーザが、そのセンサ部に、右手または左手の親指を載せると、ユーザ特定情報出力部３１は、そのセンサ部の出力に基づき、ユーザの指紋情報を検出して出力する。
【００９２】
そして、リモートコマンダ１３は、ユーザ特定情報出力部３１が出力した指紋情報を、ユーザ特定情報として送信する。
【００９３】
リモートコマンダ１３が送信したユーザ特定情報は、図１のリモートコマンダ受信部６４で受信され、リモートコマンダ受信部６４からメインマイクロコンピュータ６５のユーザ特定情報受信部１４１（図４）に供給される。
【００９４】
ステップＳ３１において、ユーザ特定情報受信部１４１は、リモートコマンダ受信部６４から供給されたユーザ特定情報を受信し、操作ユーザ特定部１４２に供給して、ステップＳ３２に進む。
【００９５】
ステップＳ３２において、操作ユーザ特定部１４２は、ユーザ情報記憶部１００に記憶されたユーザ情報リストと、ユーザ特定情報受信部１４１から供給されたユーザ特定情報とを用いて、操作ユーザを特定する。
【００９６】
即ち、操作ユーザ特定部１４２は、ユーザ情報記憶部１００に記憶されたユーザ情報リストに登録されたユーザ特定情報の中に、ユーザ特定情報受信部１４１から供給されたユーザ特定情報と一致するユーザ特定情報が存在するか否かを判定し、ユーザ特定情報受信部１４１から供給されたユーザ特定情報と一致するユーザ特定情報が存在すると判定した場合、そのユーザ特定情報に対応付けられているユーザＩＤが表すユーザを、操作ユーザとして特定する（そのユーザ特定情報に対応付けられているユーザＩＤを、操作ユーザのユーザＩＤとして特定する）。
【００９７】
一方、操作ユーザ特定部１４２は、ユーザ特定情報受信部１４１から供給されたユーザ特定情報と一致するユーザ特定情報が存在しないと判定した場合、デフォルトユーザを、操作ユーザとして特定する（デフォルトユーザのユーザＩＤを、操作ユーザのユーザＩＤとして特定する）。
【００９８】
その後、ステップＳ３２からステップＳ３３に進み、操作ユーザ特定部１４２は、ユーザ情報記憶部１００のユーザ情報において、操作ユーザのユーザＩＤに対応付けられた操作ユーザ情報を、図２のユーザ情報リストの２行目に登録された操作ユーザ情報のように、テレビジョン受像機１１を操作中であることを表す操作ユーザ情報「操作中」に更新する。
【００９９】
また、本実施の形態においては、１人のユーザが、図１のリモートコマンダ１３を操作することを前提とするため、ステップＳ３３において、操作ユーザ特定部１４２は、ユーザ情報記憶部１００のユーザ情報において、操作ユーザのユーザＩＤ以外のユーザＩＤに対応付けられた操作ユーザ情報を、図２のユーザ情報リストの１行目や３行目に登録された操作ユーザ情報のように、テレビジョン受像機１１を操作中でない（未操作である）ことを表す操作ユーザ情報「未操作」に更新して、操作ユーザ特定処理は終了される。
【０１００】
図５の操作ユーザ特定処理では、ユーザによるパスワードの入力なしで、操作ユーザを特定するため、ユーザがユーザ特定情報を失念することのみに起因して、特定の操作を行うことができなくなる事態を回避することができる。
【０１０１】
図５の操作ユーザ特定処理により操作ユーザが特定されると、その後、テレビジョン受像機１１では、操作ユーザに対応付けられている図３の可否操作情報に基づいて、図１のリモートコマンダ１３の操作に応じた処理を制限する操作制限処理が行われる。
【０１０２】
図６は、操作制限処理を説明するフローチャートである。
【０１０３】
例えば、操作ユーザが、テレビジョン受像機１１に対して所定の処理を行わせるように、図１のリモートコマンダ１３を操作すると、リモートコマンダ１３は、ユーザの操作に対応した操作信号を送信する。リモートコマンダ１３からの操作信号は、リモートコマンダ受信部６４（図１）で受信され、メインマイクロコンピュータ６５のキー受信部１４３（図４）に供給される。
【０１０４】
ステップＳ６１において、キー受信部１４３は、リモートコマンダ受信部６４から供給された操作信号を受信し、キー判定部１４４に供給して、ステップＳ６２に進み、キー判定部１４４は、キー受信部１４３から供給された操作信号に基づいて、ユーザが操作した図１のリモートコマンダ１３の操作キーを判定し、その判定結果である操作キー情報を制限制御部１４５に供給して、ステップＳ６３に進む。
【０１０５】
ステップＳ６３において、制限制御部１４５は、ユーザ情報記憶部１００から、テレビジョン受像機１１を操作中であることを表す操作ユーザ情報に対応付けられた可否操作情報、より具体的には、例えば、図２のユーザ情報リストの２行目に登録された図３の可否操作情報を読み出し、ステップＳ６４に進み、ユーザ情報記憶部１００から読み出した可否操作情報と、キー判定部１４４から供給された操作キー情報とに基づいて、ユーザによる操作キーの操作が制限操作であるか否かを判定する。
【０１０６】
ステップＳ６４において、制限制御部１４５は、ユーザによる操作キーの操作が制限操作でないと判定した場合、キー判定部１４４から供給された操作キー情報をキーイベント発生部１４６に供給して、ステップＳ６５に進み、以下、操作キー情報が表す操作キーに応じた処理を実行する操作キー処理が行われる。
【０１０７】
即ち、ステップＳ６５において、キーイベント発生部１４６は、制限制御部１４５から供給された操作キー情報に応じたキーイベントを発生し、キーイベント処理部１４７に供給する。さらに、ステップＳ６５では、キーイベント処理部１４７は、キーイベント発生部１４６から供給されたキーイベントに基づいて、所定の処理を行う。その後、操作制限処理は、終了される。
【０１０８】
一方、ステップＳ６４において、制限制御部１４５は、ユーザによる操作キーの操作が制限操作であると判定した場合、ステップＳ６７に進み、操作キー情報が表す操作キーに応じた処理を制限する制限処理を行う。
【０１０９】
即ち、制限制御部１４５は、制限処理として、例えば、操作キー情報を、キーイベント発生部１４６に供給せずに破棄（無視）する処理をする。これにより、キーイベント発生部１４６は、キーイベントを発生せず、その結果、キーイベント処理部１４７では、キーイベントに基づく処理が行われないことになり、ユーザの操作に応じた処理が制限される。
【０１１０】
その後、操作制限処理は、終了される。
【０１１１】
なお、ステップＳ６７の制限処理においては、制限制御部１４５は、さらに、ユーザによる操作キーの操作は制限された旨のメッセージを、例えば、図１のディスプレイ５８にOSDで表示するように、キーイベント処理部１４７に指示することができる。
【０１１２】
この場合、キーイベント処理部１４７は、制限制御部１４５から供給された指示に基づいて、ユーザによる操作キーの操作は制限された旨のメッセージを、例えば、ディスプレイ５８にOSDで表示させる。
【０１１３】
このようなメッセージを表示することにより、テレビジョン受像機１１が故障したと、ユーザが勘違いすることを防止することができる。
【０１１４】
以上のように、ユーザ特定情報に基づいて、ユーザによるパスワードの入力なしで、リモートコマンダ１３を操作する操作ユーザが特定され、操作ユーザを特定するユーザ特定情報に対応付けられている可否操作情報に基づいて、操作ユーザによるリモートコマンダ１３の操作が制限操作であるか否かが判定される。そして、操作ユーザによるリモートコマンダ１３の操作が制限操作である場合には、操作ユーザによるリモートコマンダ１３の操作に応じて行われる処理が制限される。さらに、制限操作には、ユーザ情報を、操作のすべてを制限しない初期状態に初期化する初期化操作が含まれる。
【０１１５】
従って、例えば、家庭の父親や母親は、自身による操作を制限しないようにすることにより、子供による操作を、確実に制限することができる。
【０１１６】
即ち、例えば、操作の制限がない父親や母親は、子供による初期化操作を制限するように、子供のユーザ情報を設定することにより、子供が、初期化操作を行うことを確実に制限することができる。
【０１１７】
さらに、子供が、初期化操作を行うことを確実に制限することができる結果、子供が、初期化操作を行ってしまうことによって、ユーザ情報を初期状態にして、制限操作となっていた操作を行うことができるようになってしまうことを防止し、制限操作となっている操作を確実に制限することができる。
【０１１８】
また、操作の制限のない父親や母親は、パスワードの入力なしに、初期化操作を行い、すべての操作が制限されないようにすることができるので、パスワードを失念するといった心配をせずに、子供が行うことができる操作を制限することができる。
【０１１９】
さらに、例えば、乳幼児や幼児については、ユーザ情報を登録しなければ、デフォルトユーザに特定されるので、デフォルトユーザによる音量ボタンの操作を制限操作としておくことにより、いわゆるチャイルドロックを実現することができる。即ち、デフォルトユーザによる音量ボタンの操作を制限操作としておくことにより、デフォルトユーザである乳幼児や幼児が音量ボタンを押し続けたとしても、デフォルトユーザである乳幼児や幼児により行われた音量ボタンの操作は制限（無視）されるので、チャイルドロックを実現することができる。
【０１２０】
なお、本実施の形態では、図２のユーザ情報リストに複数のユーザ情報が登録されていることを前提として説明したが、デフォルトユーザのユーザ情報のみが登録されている初期状態である場合には、ユーザは、すべてデフォルトユーザとして扱われる。この場合のデフォルトユーザは、いずれの操作も制限されないユーザであり、いわゆるコンピュータの管理者権限のユーザのように、ユーザ情報をユーザ情報リストに登録することができる。
【０１２１】
また、テレビジョン受像機１１の電源がオフされた後、さらに電源がオンされたときには、電源がオフされた直前までテレビジョン受像機１１を操作していたユーザが、電源がオンされたときにテレビジョン受像機１１を操作しているユーザであるとは限らないことから、テレビジョン受像機１１の電源がオンされたときのユーザは、デフォルトユーザとして扱われるようにすることができる。
【０１２２】
これは、操作ユーザ特定部１４２において、テレビジョン受像機１１の電源がオフされたときに、デフォルトユーザの操作ユーザ情報をテレビジョン受像機１１を操作中であることを表す操作ユーザ情報に、デフォルトユーザ以外のユーザの操作ユーザ情報をテレビジョン受像機１１を操作中でない（未操作である）ことを表す操作ユーザ情報に、それぞれ更新することで行うことができる。
【０１２３】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０１２４】
また、本明細書において、システムとは、複数の装置により構成される装置全体を表すものである。
【０１２５】
なお、本実施の形態では、ユーザが、デフォルトユーザ以外のユーザとして図１のリモートコマンダ１３を操作する場合、図５の操作ユーザ特定処理で操作ユーザとしてデフォルトユーザ以外のユーザが特定され、その後、特定されたデフォルトユーザ以外のユーザのユーザ特定情報に対応付けられている可否操作情報に基づいて、図１のリモートコマンダ１３が操作されるごとに、図６の操作制限処理が行われることとしたが、図１のリモートコマンダ１３が操作されるごとに、図５の操作ユーザ特定処理と図６の操作制限処理とが行われるようにすることができる。
【０１２６】
具体的には、図１のリモートコマンダ１３が操作されるごとに、ユーザが操作した操作キーに対応した操作信号と、その操作キーを操作したユーザのユーザ特定情報とが、リモートコマンダ１３から図１のメインマイクロコンピュータ６５に供給される。そして、メインマイクロコンピュータ６５では、リモートコマンダ１３からのユーザ特定情報と、ユーザ情報記憶部１００に記憶されているユーザ特定情報とに基づいて、図５の操作ユーザ特定処理を行うとともに、その操作ユーザ特定処理により特定されたユーザの可否操作情報に基づいて、図６の操作制限処理を行うことができる。
【０１２７】
なお、上述したように、本実施の形態では、ユーザが、デフォルトユーザ以外のユーザとして図１のリモートコマンダ１３を操作する場合、図５の操作ユーザ特定処理で操作ユーザとしてデフォルトユーザ以外のユーザが特定され、その後、特定されたデフォルトユーザ以外のユーザのユーザ特定情報に対応付けられている可否操作情報に基づいて、図１のリモートコマンダ１３が操作されるごとに、図６の操作制限処理が行われることとしたが、この場合、図５の操作ユーザ特定処理で操作ユーザとしてデフォルトユーザ以外のユーザが特定された後は、ユーザが、操作ユーザ特定処理を行うように、リモートコマンダ１３を操作しない限り、操作ユーザ特定処理は行われない。
【０１２８】
従って、操作ユーザ特定処理で操作ユーザとしてデフォルトユーザ以外のユーザが特定された後、操作ユーザ特定処理で特定された操作ユーザ以外のユーザが、リモートコマンダ１３を操作したとしても、操作ユーザ特定処理で特定された操作ユーザのユーザ特定情報に対応付けられている可否操作情報に基づいて、操作制限処理が行われてしまう。
【０１２９】
ここで、例えば、操作の制限のない父親や母親が、操作ユーザ特定処理で操作ユーザとして特定された後、操作の制限のある子供が、リモートコマンダ１３を操作すると、操作の制限のない父親や母親のユーザ特定情報に対応付けられている可否操作情報に基づいて、操作制限処理が行われる。
【０１３０】
この場合、操作の制限のある子供は、操作の制限のない父親や母親と同様の操作を行うことができる。これにより、操作の制限のある子供は、操作の制限のない父親や母親になりすまして、リモートコマンダ１３を操作することができる。
【０１３１】
一方、リモートコマンダ１３が操作されるごとに、図５の操作ユーザ特定処理と図６の操作制限処理とが行われるようにした場合、リモートコマンダ１３が操作されるごとに、その操作を行ったユーザが特定されるため、操作の制限のない父親や母親によりリモートコマンダ１３が操作され、操作の制限のない父親や母親が操作ユーザとして特定された後、操作の制限のある子供が、リモートコマンダ１３を操作したとしても、操作ユーザ特定処理により、操作の制限のある子供が、操作ユーザとして特定されるため、操作の制限のない父親や母親になりすまして、リモートコマンダ１３を操作することを防止することができる。
【０１３２】
また、本実施の形態では、ユーザ特定情報として、例えば、ユーザの指紋情報などを用いることとしたが、ユーザ特定情報は、これに限定されるものではなく、ユーザによるパスワードの入力なしでユーザを特定することができる情報であればよい。例えば、ユーザ毎に、ユーザ特定情報としてユーザ固有の情報があらかじめ記憶された、ユーザ専用のリモートコマンダを用意しておき、そのリモートコマンダが操作されるごとに、ユーザ固有の情報をテレビジョン受像機１１に送信するようにすることができる。
【０１３３】
なお、本実施の形態においては、図４のユーザ情報記憶部１００に、ユーザが行うことを制限する制限操作を表す可否操作情報を登録し、その可否操作情報に基づいて、ユーザによる操作が制限操作であるか否かを判定し、ユーザによる操作が制限操作であると判定した場合に、ユーザによる操作を制限することとしたが、ユーザが行うことを許可する許可操作を表す可否操作情報を登録し、その可否操作情報に基づいて、ユーザによる操作が許可操作であるか否かを判定し、ユーザによる操作が許可操作であると判定した場合に、ユーザによる操作に応じて行われる処理を許可するようにすることができる。
【０１３４】
この場合、初期化操作によれば、可否操作情報が、ユーザによる操作のすべてを許可することを表す初期状態に初期化されることになる。
【０１３５】
なお、制限制御部１４５は、上述したように、ユーザによる操作キーの操作が制限操作であると判定した場合、キー判定部１４４から供給された操作キー情報をキーイベント発生部１４６に供給することなく破棄することで、ユーザによる制限操作に応じた処理を制限することとしたが、キーイベント発生部１４６やキーイベント処理部１４７を制御することで、ユーザによる制限操作に応じた処理を制限するようにしてもよい。
【０１３６】
即ち、制限制御部１４５は、ユーザによる操作キーの操作が制限操作であると判定した場合、キーイベント発生部１４６を制御することにより、キー判定部１４４から制限制御部１４５を介して供給された操作キー情報に応じて発生させたキーイベントを、キーイベント発生部１４６からキーイベント処理部１４７に供給させないようにすることで、ユーザによる制限操作に応じた処理を制限することができる。
【０１３７】
また、制限制御部１４５は、ユーザによる操作キーの操作が制限操作であると判定した場合、キーイベント処理部１４７を制御することにより、キーイベント発生部１４６から供給されたキーイベントを破棄させるようにすることで、ユーザによる制限操作に応じた処理を制限することができる。
【０１３８】
ここで、制限操作とする操作としては、リモートコマンダ１３や操作部６３の操作の他、メニュー画面に表示されるボタンやレバーなどの操作を採用することが可能である。メニュー画面に表示されるボタンやレバーなどの操作が制限操作である場合には、制限制御部１４５では、キーイベント処理部１４７（の表示制御部１４７ａ）を制御し、制限操作の対象のボタンやレバーなどを操作することができない状態のメニュー画面や、制限操作の対象のボタンやレバーなどがない状態のメニュー画面を表示させることにより、そのボタンやレバーなどの操作に応じた処理を制限することができる。
【０１３９】
さらに、デフォルトユーザの可否操作情報は、可否操作情報を設定することが制限されていないユーザが設定する（操作を行う）ことができるが、その他、デフォルトユーザの可否操作情報は、図２のユーザ情報リストに登録されている、デフォルトユーザを除くすべてのユーザのユーザ情報の可否操作情報の、いわば論理和とすることができる。この場合、デフォルトユーザが行うことができる操作は、デフォルトユーザを除くすべてのユーザが共通に操作することができる、いわば最大公約数の操作に制限される。
【０１４０】
なお、ユーザ情報リストに登録されているいずれかのユーザによる操作に起因して、ユーザ情報リストに登録されているすべてのユーザの初期化操作と可否操作情報解除操作との両方が制限操作とされた場合、ユーザ情報リストに登録されているすべてのユーザは、制限操作となっている初期化操作を行うことができず、また、初期化操作を、制限操作から解除することもできなくなってしまう。その結果、テレビジョン受像機１１は、ユーザ情報リストに登録されているいずれのユーザによっても、初期化操作を行うことができなくなる登録ユーザ初期化不能状態となる。
【０１４１】
そこで、ユーザ情報リストに登録されているいずれかのユーザが、登録ユーザ初期化不能状態となる操作を行おうとしているときには、テレビジョン受像機１１は、そのユーザに対して、登録ユーザ初期化不能状態となる操作を行うと登録ユーザ初期化不能状態となる旨のメッセージの表示などを行うことにより、登録ユーザ初期化不能状態となることの注意を喚起することができる。これにより、テレビジョン受像機１１が、登録ユーザ初期化不能状態となることを未然に防止することができる。
【０１４２】
なお、テレビジョン受像機１１が登録ユーザ初期化不能状態となったとしても、ユーザ情報リストに登録されているユーザのうちの、新たなユーザを登録するユーザ登録操作が制限操作として登録されていないユーザが、ユーザ登録操作を行い、初期化操作が制限操作として登録されていない新たなユーザを登録することにより、その新たなユーザは、初期化操作を行うことができる。
【０１４３】
しかしながら、ユーザ情報リストに登録されているすべてのユーザについて、初期化操作、可否操作情報解除操作、およびユーザ登録操作が制限操作とされた場合には、ユーザ情報リストに登録されているすべてのユーザは、初期化操作も、初期化操作の、制限操作からの解除も行うことができず、さらに、初期化操作が制限操作として登録されていない新たなユーザを登録するユーザ登録操作も行うことができなくなってしまう。その結果、テレビジョン受像機１１は、ユーザ情報リストに登録されているすべてのユーザによるどのような手段によっても、完全に初期化操作を行うことができなくなる完全初期化不能状態となる。
【０１４４】
そこで、ユーザ情報リストに登録されているいずれかのユーザが、完全初期化不能状態となる操作を行おうとしているときには、テレビジョン受像機１１は、そのユーザに対して、完全初期化不能状態となる操作を行うと完全初期化不能状態となる旨のメッセージの表示などを行うことにより、完全初期化不能状態となることの注意を喚起することができる。これにより、テレビジョン受像機１１が、完全初期化不能状態となることを未然に防止することができる。
【０１４５】
なお、本実施の形態は、上述した実施の形態に限定されるものではなく、本発明の要旨を逸脱しない範囲において種々の変更が可能である。
【図面の簡単な説明】
【０１４６】
【図１】本発明を適用したテレビジョン受像機システムの一実施の形態の構成例を示すブロック図である。
【図２】図１の不揮発性メモリ６２に記憶されたユーザ情報リストの例を説明する図である。
【図３】図２の可否操作情報の例を説明する図である。
【図４】図１のメインマイクロコンピュータ６５の機能的な構成例を示すブロック図である。
【図５】操作ユーザを特定する操作ユーザ特定処理を説明するフローチャートである。
【図６】操作ユーザによる操作を制限する操作制限処理を説明するフローチャートである。
【符号の説明】
【０１４７】
１１  テレビジョン受像機，  １３  リモートコマンダ，  ３１  ユーザ特定情報出力部，  ６２  不揮発性メモリ，  ６３  操作部，  ６５  メインマイクロコンピュータ，  １００  ユーザ情報記憶部，  １４２  操作ユーザ特定部，  １４５  制限制御部，  １４７  キーイベント処理部  ，  １４８  設定情報制御部
【図１】
2008042409.tif 000003
【図２】
2008042409.tif 000004
【図３】
2008042409.tif 000005
【図４】
2008042409.tif 000006
【図５】
2008042409.tif 000007
【図６】
2008042409.tif 000008